(57)【特許請求の範囲】
【請求項１】
マルチビームＭＩＭＯシステムといったマルチビーム通信システムにおけるチャネル品質情報を信号伝達する方法において、複数のビームが同時に送信され、異なるビームに関して通信レートを独立に制御するため複数のセットのチャネル品質情報が送信されており、
前記複数のビームにおいて、高いチャネル品質を有する１次ビームと低いチャネル品質を有する少なくとも１つの２次ビームとを決定するステップであって、前記１次ビームのためのチャネル品質情報伝送におけるエラーの影響よりも前記２次ビームのためのチャネル品質情報伝送におけるエラーの影響が低いステップと、
前記１次ビームのためのチャネル品質情報の範囲とは異なる前記２次ビームのためのチャネル品質情報の範囲を提供することによって、前記ビームのチャネル品質情報の信号伝達オーバヘッドを減らすために、前記チャネル品質の違いを利用するステップとを有する、方法。
【請求項２】
差分信号伝達が、前記２次ビームに対するチャネル品質情報値を示すのに使用される、請求項１に記載の方法。
【請求項３】
前記１次ビームに関するチャネル品質情報の絶対値が、信号伝達され、前記２次ビームに関するチャネル品質情報値は、前記１次ビームに対する値に対するオフセットを用いて信号伝達される、請求項２に記載の方法。
【請求項４】
前記オフセットが、前記個別の２次ビームと前記１次ビームとの間の品質における平均差から得られる、請求項３に記載の方法。
【請求項５】
前記利用ステップにおいて、前記チャネル品質情報に対する異なる更新レートが異なるビームに対して与えられる、請求項１乃至４のいずれか一項に記載の方法。
【請求項６】
前記オフセットが、前記１次ビームに対する絶対チャネル品質情報値より低い更新レートで信号伝達される、請求項３又は４に記載の方法。
【請求項７】
前記１次ビームに関連する前記チャネル品質情報通信に対する更新レートと比べて前記２次ビームに関連する前記チャネル品質情報通信に対するより低い更新レートが与えられる、請求項１、５又は６に記載の方法。
【請求項８】
前記更新レートが、ノードのようなネットワーク要素からユーザ装置へ信号伝達される、請求項５乃至７のいずれか一項に記載の方法。
【請求項９】
前記更新レートが、予め規定される、請求項５乃至７のいずれか一項に記載の方法。
【請求項１０】
前記利用ステップにおいて、異なるビームに対して異なるカットオフ閾値が与えられ、前記カットオフ閾値を下回ると、チャネル品質情報の通知が必要とされない、請求項１乃至９のいずれか一項に記載の方法。
【請求項１１】
前記１次ビームより前記２次ビームに対してより高いカットオフ閾値が与えられる、請求項１０に記載の方法。
【請求項１２】
前記カットオフ閾値が、ノードといったネットワーク要素から移動端末といったユーザ装置へ信号伝達される、請求項１０又は１１に記載の方法。
【請求項１３】
前記カットオフ閾値が、予め規定される、請求項１０又は１１に記載の方法。
【請求項１４】
前記ネットワーク要素にチャネル品質情報を送信するため、スケジュールされた時刻が前記ユーザ装置に与えられ、ビームに対する前記チャネル品質が該ビームに対する前記個別のカットオフ閾値を下回ると前記ユーザ装置が推定するとき、前記ユーザ装置は、前記チャネル品質が前記個別のカットオフ閾値以上になるまで、前記スケジュールされた時刻でチャネル品質情報を送信しない、請求項１０乃至１３のいずれか一項に記載の方法。
【請求項１５】
前記ネットワーク要素が、スケジュールされた時刻でチャネル品質情報を受信しないとき、前記ネットワーク要素は、前記ユーザ装置から異なるチャネル品質情報値を受信するまで、前記個別のビーム上で追加的な通信を行わない、請求項１０乃至１４のいずれか一項に記載の方法。
【請求項１６】
前記利用ステップにおいて、異なるチャネル品質情報量子化精度が、異なるビームに対して与えられる、請求項１乃至１５のいずれか一項に記載の方法。
【請求項１７】
１次ビームに対するチャネル品質情報通知に適用されるチャネル品質情報量子化精度と比べて、２次ビームに対してより粗いチャネル品質情報量子化精度が与えられる、請求項１６に記載の方法。
【請求項１８】
前記２次ビームに対する前記より粗いチャネル品質情報量子化精度が、前記チャネル品質情報範囲の下位部にのみあてはまる、請求項１７に記載の方法。
【請求項１９】
ノードといったネットワーク要素が、移動端末といったユーザ装置に、異なるビームに対して異なるチャネル品質情報量子化精度を用いるよう指示する、請求項１６乃至１８のいずれか一項に記載の方法。
【請求項２０】
前記チャネル品質情報量子化精度が、予め規定される、請求項１６乃至１８のいずれか一項に記載の方法。
【請求項２１】
１つ以上のビームに関して送信される前記チャネル品質情報値が、移動端末といったユーザ装置からノードといったネットワーク要素に対する通信のため単一のコードワードに結合的にエンコードされる、請求項１乃至２０のいずれか一項に記載の方法。
【請求項２２】
請求項１乃至２１のいずれか一項に記載の方法を実行するコンピュータプログラム。
【請求項２３】
マルチビームＭＩＭＯシステムのようなマルチビーム通信システムであって、複数のビームが同時に送信され、異なるビームに関して通信レートを独立に制御するため複数のセットのチャネル品質情報が送信されており、
前記複数のビームにおいて、高いチャネル品質を有する１次ビームと低いチャネル品質を有する少なくとも１つの２次ビームとを決定する決定デバイスであって、前記１次ビームのためのチャネル品質情報伝送におけるエラーの影響よりも前記２次ビームのためのチャネル品質情報伝送におけるエラーの影響が低い決定デバイスと、
前記１次ビームのためのチャネル品質情報の範囲とは異なる前記２次ビームのためのチャネル品質情報の範囲を提供することによって、前記ビームのチャネル品質情報の信号伝達オーバヘッドを減らすために、前記チャネル品質の違いを利用する利用デバイスとを有する、マルチビーム通信システム。
【請求項２４】
マルチビームＭＩＭＯシステムのようなマルチビーム通信システムにおけるノードのようなネットワーク要素であって、複数のビームが同時に送信され、異なるビームに関して通信レートを独立に制御するため複数のセットのチャネル品質情報が送信されており、
前記複数のビームにおいて、高いチャネル品質を有する１次ビームと低いチャネル品質を有する少なくとも１つの２次ビームとを決定する決定デバイスであって、前記１次ビームのためのチャネル品質情報伝送におけるエラーの影響よりも前記２次ビームのためのチャネル品質情報伝送におけるエラーの影響が低い決定デバイスと、
前記１次ビームのためのチャネル品質情報の範囲とは異なる前記２次ビームのためのチャネル品質情報の範囲を提供することによって、前記ビームのチャネル品質情報の信号伝達オーバヘッドを減らすために、前記チャネル品質の違いを利用する利用デバイスとを有する、ネットワーク要素。
【請求項２５】
請求項２４に記載のネットワーク要素を少なくとも含む基地局。
【請求項２６】
マルチビームＭＩＭＯシステムのようなマルチビーム通信システムにおける移動端末のようなユーザ装置であって、複数のビームが同時に送信され、異なるビームに関して通信レートを独立に制御するため複数のセットのチャネル品質情報が送信されており、
前記複数のビームにおいて、高いチャネル品質を有する１次ビームと低いチャネル品質を有する少なくとも１つの２次ビームとを決定する決定デバイスであって、前記１次ビームのためのチャネル品質情報伝送におけるエラーの影響よりも前記２次ビームのためのチャネル品質情報伝送におけるエラーの影響が低い決定デバイスと、
前記１次ビームのためのチャネル品質情報の範囲とは異なる前記２次ビームのためのチャネル品質情報の範囲を提供することによって、前記ビームのチャネル品質情報の信号伝達オーバヘッドを減らすために、前記チャネル品質の違いを利用する利用デバイスとを有する、ユーザ装置。
【発明の詳細な説明】
【技術分野】
【０００１】
本発明は、マルチビーム通信システム、特にマルチビームＭＩＭＯ（multiple-in/multiple-out）システムにおけるチャネル品質情報を信号伝達する方法に関する。更に、本発明は、上記方法を実行するコンピュータプログラムに関する。更に、本発明は、マルチビーム通信システム、特にマルチビームＭＩＭＯシステムに関し、そこでは、複数のビームが同時に送信され、チャネル品質情報（ＣＱＩ）の複数のセットが、異なるビームにおける送信レートを独立に制御するため送信される。更に、本発明は、マルチビーム通信システム、特にマルチビームＭＩＭＯシステムにおけるネットワーク要素、特にノードに関し、そこでは、複数のビームが同時に送信され、チャネル品質情報の複数のセットが、異なるビームにおける送信レートを独立に制御するため送信される。更に、本発明は、マルチビーム通信システム、特にマルチビームＭＩＭＯシステムにおけるユーザ装置、特に移動端末に関し、そこでは、複数のビームが同時に送信され、チャネル品質情報の複数のセットが、異なるビームにおける送信レートを独立に制御するため送信される。最後に、本発明は、マルチビーム通信システム、特にマルチビームＭＩＭＯシステムにおけるチャネル品質情報を示す信号に関し、そこでは、複数のビームが同時に送信され、チャネル品質情報の複数のセットが、異なるビームにおける送信レートを独立に制御するため送信される。
【０００２】
本発明は、マルチアンテナ通信システムに適用されることができる。特に、本発明は可能性として、ＵＭＴＳ（Universal Mobile Telecommunications System）リリース７で現在標準化が進められているＭＩＭＯ仕様に適用される。
【背景技術】
【０００３】
第３世代パートナーシッププロジェクト（３ＧＰＰ）において、Ｄ−ＴｘＡＡと呼ばれる提案が、ピークビットレートを増加させる方法としてＵＭＴＳにおいて議論されている。これは、移動端末がネットワークに２つの送信アンテナのそれぞれから信号に適用されるべき複合加重を信号伝達するような、既存の閉ループ送信ダイバーシティ法（ＴｘＡＡモード１）から得られる。Ｄ−ＴｘＡＡにおいて、直交加重ベクトルを用いて２つの異なるデータストリームが送信される。第１の加重ベクトルは、移動端末から送信されるものに基づかれ、第２のベクトルは、第１のベクトルから決定的に得られる。
【０００４】
Ｄ−ＴｘＡＡの動作に関して、以下が想定されることができる。
【０００５】
直交するパイロットチャネルが、各ノードＢのアンテナから送信される（これは、ユーザ装置（ＵＥ）へ及びユーザ装置からの１つ又は複数のセルにおける無線送信及び受信に責任を負う論理ノードである）。
【０００６】
専用の（即ちビーム形成された）パイロットで利用可能なものは存在しない（パイロットビットを搬送しない、分別専用物理チャネル（Ｆ−ＤＰＣＨ）が使用されると仮定する）。
【０００７】
ユーザ装置（ＵＥ）により第１のビームに対するフィードバック情報（ＦＢＩ）が得られ、ノードＢに送信され、所望のビーム形成ベクトルが示される。
【０００８】
加重ベクトルの制限されたコードブックを用いて第１のビームが送信される（例えば、ＴｘＡＡモード１に対して現在使用されるコードブックがある）。
【０００９】
第１のビームに対するアンテナ加重ベクトルの識別が高速共有制御チャネル（ＨＳ−ＳＣＣＨ）上でＵＥに信号伝達される。
【００１０】
第１のビームに対するベクトルに直交する所定の位相ベクトルを用いて第２のビームが送信される。
【００１１】
チャネル品質情報（ＣＱＩ）がＵＥによりノードＢに信号伝達される。これは、ノードＢが、２つのビームのそれぞれに対して異なるレートを取得することを可能にする。
【００１２】
ＣＱＩは、基準出力レベル及びコードリソースを用いて連続的に（又は所与の成功確率で）送信されることができるレート（又はパケットサイズ）を示す（基準値は、ネットワーク及び移動端末の両方により知られている）。
【００１３】
２つのビーム上での送信には、可能性として異なるレートの分離したコードワードが含まれる。
【発明の概要】
【発明が解決しようとする課題】
【００１４】
Ｄ−ＴｘＡＡにおいて同時に送信されるビームは通常、ＵＥにおいて異なるＳＩＮＲ（ノイズが温度ノイズ及び干渉の両方を含む場合の信号対ノイズ比）で受信されるので、各ビームは、対応するように異なるレートをサポートすることができる。これは、各ＵＥによりノードＢに信号伝達されるのに複数のＣＱＩ情報が必要とされることを意味する。ＵＭＴＳリリース５においては、単一のＣＱＩ値が、５つの情報ビットを含んでおり、２０の物理チャネルビットにコード化される。マルチビームシステムに対しては、分離したＣＱＩ値がすべてのビームに対して示される場合、このビット数が、ビーム数で乗算されることになる。これは、結果として高い信号伝達負荷を生じさせる可能性がある。
【００１５】
本発明の目的は、マルチビームシステムにおけるＣＱＩ信号伝達負荷を減らすことにある。
【課題を解決するための手段】
【００１６】
上記及び更なる目的を実現するため、本発明の第１の側面によれば、マルチビームＭＩＭＯシステムといったマルチビーム通信システムにおけるチャネル品質情報を信号伝達する方法が与えられる。そこでは、複数のビームが同時に送信され、異なるビームに関して通信レートを独立に制御するため複数のセットのチャネル品質情報が送信されており、上記方法は、異なる品質を備えるビームを決定するステップと、上記ビームのチャネル品質情報の信号伝達オーバヘッドを減らすため、上記異なる品質を利用するステップとを有する。
【００１７】
本発明の第２の側面によれば、本発明の第１の側面に基づく方法を実行するコンピュータプログラムが与えられる。
【００１８】
本発明の第３の側面によれば、マルチビームＭＩＭＯシステムのようなマルチビーム送信システムが与えられる。そこでは、複数のビームが同時に送信され、異なるビームに関して通信レートを独立に制御するため複数のセットのチャネル品質情報が送信されており、上記システムは、異なる品質を備えるビームを決定する決定デバイスと、上記ビームのチャネル品質情報の信号伝達オーバヘッドを減らすため、上記異なる品質を利用する利用デバイスとを有する。
【００１９】
本発明の第４の側面によれば、マルチビームＭＩＭＯシステムのようなマルチビーム送信システムにおけるノードのようなネットワーク要素が与えられる。そこでは、複数のビームが同時に送信され、異なるビームに関して通信レートを独立に制御するため複数のセットのチャネル品質情報が送信されており、上記システムは、異なる品質を備えるビームを決定する決定デバイスと、上記ビームのチャネル品質情報の信号伝達オーバヘッドを減らすため、上記異なる品質を利用する利用デバイスとを有する。
【００２０】
本発明の第５の側面によれば、マルチビームＭＩＭＯシステムのようなマルチビーム送信システムにおける移動端末のようなユーザ装置が与えられる。そこでは、複数のビームが同時に送信され、異なるビームに関して通信レートを独立に制御するため複数のセットのチャネル品質情報が送信されており、上記システムは、異なる品質を備えるビームを決定する決定デバイスと、上記ビームのチャネル品質情報の信号伝達オーバヘッドを減らすため、上記異なる品質を利用する利用デバイスとを有する。
【００２１】
本発明の第６の側面によれば、マルチビームＭＩＭＯシステムのようなマルチビーム送信システムにおけるチャネル品質情報を示す信号が与えられる。そこでは、複数のビームが同時に送信され、異なるビームに関して通信レートを独立に制御するため複数のセットのチャネル品質情報が送信されており、上記信号は、上記ビームの品質における差を利用することに基づき、上記ビームに対するオーバヘッドが減らされたチャネル品質情報を有する。
【００２２】
本発明は、マルチビーム通信システムにおけるＣＱＩ信号伝達負荷の削減をもたらす。この利点は、特に本発明によれば、異なるビームに対するＣＱＩ通信におけるエラーの異なる効果が、複数のビームに対するＣＱＩの信号伝達オーバヘッドを用いるために利用されることで達成される。この効果は、ビームの異なる品質から生じるものである。
【００２３】
更に有利な実施形態が、従属項に規定される。
【００２４】
好ましくは、上記決定デバイスが、ビームに関するチャネル品質情報の通信におけるエラーの異なる効果を生じさせる、異なる品質を備えるビームを決定するよう構成される。特に、上記決定デバイスは、複数のビームにおいて、より高い品質を備える１次ビームと、より低い品質を備える少なくとも１つの２次ビームとを決定するよう構成され、その結果、２次ビームに対するチャネル品質情報通信におけるエラーの異なる効果が生じる。
【００２５】
２次ビームに対するチャネル品質情報値を示す差分信号を与える差分信号デバイスが存在することができる。差分信号デバイスは、１次ビームに関するチャネル品質情報の絶対値と、１次ビームに関する値に対するオフセットを用いて２次ビームに関するチャネル品質情報値とを信号伝達するよう構成されることができる。更に、差分信号デバイスは、個別の２次ビームと１次ビームとの間の品質における平均差からオフセットを取得するよう構成されることができる。
【００２６】
好ましくは、利用デバイスが、異なるビームに関するチャネル品質情報に対する異なる更新レートを与えるよう構成されることができる。その場合、差分信号デバイスは、１次ビームに関する絶対チャネル品質情報値より低い更新レートでオフセットを信号伝達するよう構成されることができる。更に、利用デバイスは、１次ビームに関するチャネル品質情報通信に対する更新レートと比べて、２次ビームに関するチャネル品質情報通信に対する一層低い更新レートを与えるよう構成されることができる。更新レートは、ノードといったネットワーク要素からユーザ装置へ信号伝達されることができるか、又は予め規定されているとすることができる。
【００２７】
好ましくは、利用デバイスは、異なるカットオフ閾値を提供するよう構成される。その閾値を下回ると、異なるビームに関するチャネル品質情報の通知が必要とされない。特に、その利用デバイスは、１次ビームより２次ビームに対してより高いカットオフ閾値を提供するよう構成される。カットオフ閾値は、ノードといったネットワーク要素からユーザ装置へ信号伝達されることができるか、又は予め規定されているとすることができる。更に、上記ネットワーク要素にチャネル品質情報を送信するため、スケジュールされた時刻が上記ユーザ装置に与えられ、あるビームの上記チャネル品質がこのビームに対する個別のカットオフ閾値を下回ると上記ユーザ装置が推定するとき、上記ユーザ装置は、上記チャネル品質が上記個別のカットオフ閾値以上になるまで、上記スケジュールされた時刻でチャネル品質情報を送信しない。更に、好ましい実施形態によれば、上記ネットワーク要素が、スケジュールされた時刻でチャネル品質情報を受信しないとき、上記ネットワーク要素は、上記ユーザ装置から異なるチャネル品質情報値を受信するまで、上記個別のビーム上で追加的な通信を行わない。
【００２８】
好ましくは、上記利用デバイスは、異なるビームに対する異なるチャネル品質情報量子化精度を与えるよう構成される。利用デバイスは、１次ビームに対するチャネル品質情報通知に適用されるチャネル品質情報量子化精度と比べて、２次ビームに対して一層粗いチャネル品質情報量子化精度を与えるよう構成される。更に、上記利用デバイスは、上記２次ビームに対する上記一層粗いチャネル品質情報量子化精度を、上記チャネル品質情報範囲の下位部にのみ適用するよう構成されることができる。異なるビームに対して異なるチャネル品質情報量子化精度を用いるようユーザ装置に指示する、ノードといったネットワーク要素が提供されることができる。更になお、チャネル品質情報量子化精度は予め規定されているとすることができる。
【００２９】
好ましくは、ユーザ装置からノードといったネットワーク要素への通信のため単一のコードワードへと１つ以上のビームに対して送信されるチャネル品質情報値を結合的にエンコードするエンコーディングデバイスが与えられる。
【発明を実施するための形態】
【００３０】
Ｄ−ＴｘＡＡシステムにおいて、第１のビームは通常、第２のビームより常に良い品質のものであることを理解されたい。なぜなら、第１のビームに対するビーム形成加重は、第１のビームの信号対干渉比（ＳＩＲ）を最適化するよう特にデザインされる一方、第２のビームに対するビーム形成加重は、第１のビームから決定的に取得されるからである。
【００３１】
一般に、マルチビーム通信システムは、最適化されたＳＩＲを備える１次ビームとより低いＳＩＲを備える１つ又は複数の２次ビームとを含むよう考えられることができる。
【００３２】
結果的に、すべてのビームに対して全体で達成可能な送信レートを考慮するとき、２次ビームに対するＣＱＩ信号伝達におけるエラーの効果が、１次ビームに対するＣＱＩ信号伝達におけるエラーの効果より余り重要でないと考えられるようになる。これは、結果として、２次ビームに対するＣＱＩ通信におけるエラーの異なる効果を生じさせる。
【００３３】
従って、第１に、１次ビーム及び１つ又は複数の２次ビームが、複数のビームの中から決定される。
【００３４】
その後、複数のビームに対するＣＱＩの信号伝達オーバヘッドを減らすべく、２次ビームに対するＣＱＩ通信におけるエラーの異なる効果が採用される。
【００３５】
好ましくは、異なる効果を採用するステップが、以下の３つの手段又はステップのうちの１つ又は複数を含むことができる。
【００３６】
１．少なくとも１つの２次ビームに関するＣＱＩ通信に対して、１次ビームに関するＣＱＩ通信に対する更新レートと比べて異なる（通常はより低い）更新レートが与えられる。こうした更新レートは、ノードＢによりＵＥに対して信号伝達される。通常の実施形態において、ＣＱＩ通知のレートは、１次ビームに対して信号伝達され、１つ又は複数の追加的な（有利にはより低い）更新レートが、１つ又は複数の２次ビームに対して信号伝達される。いくつかの実施形態では、その１つ又は複数の追加的な更新レートが、１次ビームに対して信号伝達されるレートの除数を用いて信号伝達されることができる。この実施形態の変形例において、ＣＱＩ通信に対する更新レートは、各ビームにおけるチャネルの変化率に基づき選択的に選択される。
【００３７】
２．１つ又は複数のビームに対して、異なる（通常はより高い）カットオフ閾値が与えられる。カットオフ閾値未満では、ＵＥは、個別のビームに対するＣＱＩ値を通知すべきでない。従来技術において、ＳＩＲが余りに低くＵＥが利用可能な通信フォーマットのいずれもうまくデコードできないとき、「範囲外」ＣＱＩ値が、ＵＥによる通信のため与えられる。しかしながら、斯かる値の通信は、データがダウンリンクで全く受信されることができないときでさえ、アップリンク信号伝達オーバヘッドの原因になり続ける。信号伝達オーバヘッドを減らすため、ノードＢはＵＥに１つ又は複数のビームに対するカットオフＣＱＩレベルを伝達する。カットオフＣＱＩレベル未満では、ＵＥが、そのビームに対するＣＱＩを通知することを止める。ノードＢは、ＵＥから別のＣＱＩ値を受信するまで、斯かるビーム上で追加的な通信を行わない。ＣＱＩ通知目的のためアップリンク信号伝達チャネルに固定数のビットが割り当てられるような場合に特に適している、この実施形態の変形例において、ＣＱＩ通知に利用可能なその固定数のアップリンクビットの一部が、ビーム品質に基づき変化される。その結果、１つ又は複数のビームが「範囲外」ＣＱＩを持ち、従って、ＣＱＩ通知が全く送信されないとき、その量子化及び／又は信頼性を改善するため、「範囲内」ビームに対するより多くのＣＱＩビットが代わりに送信されることができる。
【００３８】
３．少なくとも１つの２次ビームに対して、１次ビームに関するＣＱＩ通知に適用されるＣＱＩ量子化精度と比べて異なる（通常はより粗い）ＣＱＩ量子化精度が与えられる。２次ビームのレートがより低く、従って、総合レートが２次ビームに対するＣＱＩにおけるエラーに対してあまり感知的でない場合、それらのビームに対するＣＱＩ通知の精度を粗くするほうがより効率的である。それにより、必要とされる信号伝達ビットの数が減らされる。例えば、１次ビームに対しては１ｄＢ精度が通常適用されるが、ノードＢは、１つ又は複数の２次ビームに対するより粗い精度（例えば２ｄＢ）を用いるようＵＥに指示を出すために信号伝達を用いる。代替的に、精度が仕様において事前規定されることができる。追加的な実施形態では、２次ビームに対するより粗い精度が、ＣＱＩ範囲の低位部にのみ適用されることができる。この実施形態の変形例では、２次ビームに関して送信されることになるＣＱＩ値の範囲が、１次ビームに関して送信されることになるＣＱＩ値の範囲とは異なるとすることができる。各ビームに対する精度はオプションで同じとすることができる。例えば、可能なＣＱＩ値の総範囲が、多数のサブ範囲に分割されることができる。ＵＥは、ビームの現在のサブ範囲内のＣＱＩ値のみを伝達することになる。本実施形態の拡張において、ＣＱＩ値の次のサブ範囲へのアップ又はダウン切り替えを示すため、特殊なＣＱＩ値が予約されることができる。現在のビーム及びチャネル状態に対してサブ範囲を最適化するために追加的な信号伝達をすることにより、サブ範囲は、オーバラップする、又は拡張、低減その他適合されるよう更にデザインされることができる。
【００３９】
実施形態のいずれかにおいて、１つ以上のビームに関して送信されるＣＱＩ値は、ノードＢに対する通信のため単一のコードワードへと結合的にエンコードされることができる。
【００４０】
１つ又は複数の２次ビームに対するＣＱＩ値を示すために、差分信号伝達が使用されることができる。例えば、１次ビームに対してＣＱＩの絶対値が信号伝達されることができる。１つ又は複数の２次ビームに対するＣＱＩ値は、１次ビームに関する値に相対的なオフセットを用いて信号伝達されることができる。特に、そのオフセットは、１次ビームに対する絶対ＣＱＩ値より低い更新レートで信号伝達されることができる。更なる実施形態では、そのオフセットは、個別の２次ビームと１次ビームとの間の品質における平均差から得られることができる。その場合、平均を取る期間は、例えば、１次ビームのＣＱＩ値の更新レートに関連付けられる、オフセットの更新レートに関連付けられる、所定のものである、ノードＢによりＵＥに信号伝達される、又はＵＥによりノードＢに信号伝達される、とすることができる。
【００４１】
両方のビームが、同じ変調及びコーディングスキームで送信されると仮定すると、ＣＱＩにおける斯かる差は、送信出力の観点からは、２次ビームと１次ビームとの間に必要とされるオフセットとすることができる。代替的に、ＣＱＩにおける差は、送信出力の観点からは、１次ビームに対して相対的なデータレートにおける固定差（又は比）で２次ビームが送信されるという仮定の下で必要とされるオフセットとすることができる。
【００４２】
異なるビームのＣＱＩ値が、ある程度まで相関される場合、ＣＱＩに対する差分信号は通常、有利である。差分信号を用いる実施形態の変形例において、ＵＥは、その異なるビームのＣＱＩ値の相関部分を測定及び減算し、並びに１次ビームに対して相対的な２次ビームに対するＣＱＩの非相関部分に関連する値のみを送信する。相関が測定される期間は、平均を取る期間と同様に選択されることができる。
【００４３】
本発明は、基地局から移動端末への通信に関して主に説明されてきたが、本発明は、移動端末から基地局への通信、及びピアノード間での通信にも適用可能である。
【００４４】
本明細書及び請求項において、ある要素に先行する単語「a」又は「an」は、斯かる要素が複数存在することを排除するものではない。更に、単語「comprising」は、記載される以外の他の要素又はステップの存在を排除するものではない。
【００４５】
本開示を読めば、当業者には他の修正が明らかであろう。斯かる修正は、無線通信の分野において既に知られる他の特徴を含むことができ、本書で既に述べた特徴の代わりに又はその特徴と合わせて使用されることができる。